(57)【要約】【課題】安全で捕獲効率が高く生産性に優れる動物捕獲用罠を提供する。【解決手段】獣類の脚部を緊縛する複数の括り輪１１が形成された捕獲ワイヤ１０と、括り輪１１がそれぞれ巻き掛けられる複数の筒状体２５と、捕獲ワイヤ１０を引き上げて括り輪１１を縮径させる駆動手段３０と、括り輪１１に進入した獣類の脚部を検知して駆動手段３０を作動させる検知手段５５と、を有し、駆動手段３０は、複数の括り輪１１を筒状体２５から外して獣類の脚部が進入している括り輪１１を縮径させる。これにより、総捕獲面積を増やすことができ、捕獲効率を向上させることができる。また、括り輪の内径が大きくならず、捕獲対象外の獣類や人に対する危険も少ない。また、一旦作動した後は、未作動の状態で括り輪が残されないので、複数の獣類の捕獲が回避され、狩猟者に対する安全も確保される。また、部品数が少なく生産性に優れる。【選択図】図１
2019010084.tif 000002
【特許請求の範囲】
【請求項１】
獣類の脚部を緊縛する複数の括り輪が形成された捕獲ワイヤと、
前記括り輪がそれぞれ巻き掛けられる複数の筒状体と、
前記捕獲ワイヤを引き上げて前記括り輪を縮径させる駆動手段と、
前記括り輪に進入した前記脚部を検知して前記駆動手段を作動させる検知手段と、を有し、
前記駆動手段は、複数の前記括り輪を前記筒状体から外して前記脚部が進入している前記括り輪を縮径させることを特徴とする動物捕獲用罠。
【請求項２】
前記捕獲ワイヤは、分岐した複数の枝ワイヤを有し、
前記枝ワイヤにそれぞれ前記括り輪が形成されていることを特徴とする請求項１に記載の動物捕獲用罠。
【請求項３】
前記枝ワイヤの先端近傍が挿通されて前記括り輪を形成する一対のワイヤ孔が形成された括り金具を有し、
前記括り金具は、一対の前記ワイヤ孔の間において前記括り輪の外径側に突出するよう曲折されていることを特徴とする請求項２に記載の動物捕獲用罠。
【請求項４】
前記駆動手段は、前記捕獲ワイヤを引き上げる動力源としての弾性体と、前記弾性体を蓄勢した状態で保持する係止手段と、を有し、
前記検知手段は、前記脚部を検知して前記係止手段による前記弾性体の係止を解除することを特徴とする請求項１ないし請求項３の何れか１項に記載の動物捕獲用罠。
【請求項５】
複数の前記筒状体は、並列且つ列状に配設されて互いに連結固定されており、
前記検知手段は、前記獣類に踏まれることにより前記係止手段を引っ張って前記弾性体の係止を解除する検知ワイヤであり、
前記検知ワイヤは、列状に連結固定された複数の前記筒状体の筒内を径方向に貫通するよう前記筒状体に挿通されていることを特徴とする請求項４に記載の動物捕獲用罠。
【発明の詳細な説明】
【技術分野】
【０００１】
本発明は、動物捕獲用罠に関し、詳しくは、猪や鹿等を捕獲するために用いられる括り罠に関する。
【背景技術】
【０００２】
従来、猪や鹿等の獣類を捕獲するための動物捕獲用罠として、環状にセットされる括り輪を有し、括り輪に入った獣類の脚部を、ばね等の復元力を利用して締め上げて捕獲する括り罠が知られている。
【０００３】
例えば、特許文献１は、開閉可能に形成されて開いた状態に付勢された、く字状のアーム本体と、このアーム本体のそれぞれの先端部に両端部が取付けられた捕獲ロープと、外周囲に捕獲ロープが巻廻しされる踏抜筒と、この踏抜筒を収納する筒受と、を有する捕獲罠が開示されている。同文献の捕獲罠では、土中に埋められた筒受内の踏抜筒が動物に踏まれることにより、捕獲ロープが踏抜筒から外れて、踏抜筒を踏んだ動物の脚部が捕獲される。
【０００４】
また例えば、特許文献２には、踏板機構を有する円盤体と、円盤体の外周面を囲繞して円盤体の踏板としての降下にともない野生動物の足を緊締作動するワイヤ輪と、ワイヤ輪を形成するワイヤの一端に形成されたリングに挿通されたワイヤ延出端部と、ワイヤ延出端部に連結され上昇作動するワイヤ作動体と、よりなる野生動物の捕獲用罠が開示されている。また、同文献には、円盤体を遊嵌する一対の筒本体が連結されたダブル支持フレームが開示されている。
【先行技術文献】
【特許文献】
【０００５】
【特許文献１】特開２００３−９２９７４号公報
【特許文献２】特許第６００６４４７号公報
【発明の概要】
【発明が解決しようとする課題】
【０００６】
しかしながら、上記した従来技術の動物捕獲用罠は、捕獲効率を向上させるために改善すべき点があった。
【０００７】
具体的には、この種の括り罠は、括り輪が獣類の通り道等に設置され、その設置された括り輪の中に捕獲対象の獣類が足を入れることにより作動して獣類を捕獲するものである。換言すれば、括り輪の中に獣類が足を入れなければ、獣類を捕獲することができない。
【０００８】
そこで、捕獲効率を上げるためには、括り輪による捕獲面積を大きくすることが考えられる。しかしながら、捕獲面積を大きくするために括り輪の内径を大きくすると、括り輪の中に誤って人が足を踏み入れ、それによって罠が作動して、人体に危害を及ぼす恐れがある。
【０００９】
また、括り輪の内径が大きくなると、鳥獣の保護及び狩猟の適正化に関する法律（以下「鳥獣法」と言う。）によって括り罠による捕獲が規制されている熊等の捕獲対象ではない獣類が捕獲されてしまう恐れもある。
【００１０】
そのため、鳥獣法では、括り輪の大きさが規制されており、具体的には、括り輪の内径は１２ｃｍを超えてはならないとされている。よって、捕獲効率を向上させるために、括り輪の内径を大きくするという方法は採用できない。
【００１１】
また、括り輪の捕獲面積を大きくする他の方法として、設置される動物捕獲用罠の数を増やして括り輪の数を増やすことが考えられる。その際、例えば、特許文献２に開示されているように、２つの筒本体が連結されたダブル支持フレームを備えた捕獲用罠を使用することも可能である。
【００１２】
その際、従来技術の動物捕獲用罠は、一カ所に複数設置されたとしても、それぞれの括り輪に対してばね等を含む作動体が個別に取り付けられているので、それぞれ独立して作動することになる。即ち、一つの動物捕獲用罠が作動しても、周囲に設置された他の動物捕獲用罠は、未作動のままである。
【００１３】
そのため、複数の動物捕獲用罠に複数頭の獣類が掛かってしまう恐れがあり、その場合、捕獲ロープ同士が絡まって動物捕獲用罠が破損してしまうことや、捕獲された獣類を不要に傷つけてしまう等の恐れがあった。
また、周囲に未作動の括り罠が残っていることは、狩猟者が捕獲された獣類を捕らえる際に誤作動等によって人体に危害を及ぼす恐れもあり好ましくない。
【００１４】
また、従来技術の動物捕獲用罠は、１つの括り輪に対して、１つの作動体を必要とするので、複数設置される場合には、設置数に対応する個数の作動体が必要になる。そのため、動物捕獲用罠の全体を構成する部品の数が多くなり、コストが高くなるという問題点もある。
【００１５】
本発明は、上記の事情に鑑みてなされたものであり、その目的とするところは、安全で捕獲効率が高く生産性に優れる動物捕獲用罠を提供することにある。
【課題を解決するための手段】
【００１６】
本発明の動物捕獲用罠は、獣類の脚部を緊縛する複数の括り輪が形成された捕獲ワイヤと、前記括り輪がそれぞれ巻き掛けられる複数の筒状体と、前記捕獲ワイヤを引き上げて前記括り輪を縮径させる駆動手段と、前記括り輪に進入した前記脚部を検知して前記駆動手段を作動させる検知手段と、を有し、前記駆動手段は、複数の前記括り輪を前記筒状体から外して前記脚部が進入している前記括り輪を縮径させることを特徴とする。
【発明の効果】
【００１７】
本発明の動物捕獲用罠によれば、獣類の脚部を緊縛する複数の括り輪が形成された捕獲ワイヤと、括り輪がそれぞれ巻き掛けられる複数の筒状体と、捕獲ワイヤを引き上げて括り輪を縮径させる駆動手段と、括り輪に進入した獣類の脚部を検知して駆動手段を作動させる検知手段と、を有し、駆動手段は、複数の括り輪を筒状体から外して獣類の脚部が進入している括り輪を縮径させる。このように複数の括り輪が形成されることにより、括り輪による総捕獲面積を増やすことができるので、捕獲効率を向上させることができる。
【００１８】
また、複数の括り輪が形成されることにより、総捕獲面積を大きくするために括り輪の内径を大きくする必要がないので、捕獲対象外の獣類が捕獲されてしまうことや、括り輪に人が足を踏み入れて動物捕獲用罠が作動してしまう等の危険も回避できる。
【００１９】
また、１つの駆動手段によって複数の括り輪がまとめて引き上げられるので、獣類を捕獲するために一旦作動した後は、動物捕獲用罠は括り輪がセットされた状態で未作動のまま残されることがない。そのため、未作動の括り輪によって複数の獣類が捕獲されてしまう恐れがなく、また、捕獲された獣類を捕らえる際の狩猟者の安全も確保される。
【００２０】
また、１つの駆動手段によって複数の括り輪をまとめて引き上げる構成により、駆動手段の数を減らすことができ、これにより、動物捕獲用罠を構成する部品の数が少なくなり、生産性が高められるという効果も期待できる。
【００２１】
また、本発明の動物捕獲用罠によれば、捕獲ワイヤは、分岐した複数の枝ワイヤを有し、枝ワイヤにそれぞれ括り輪が形成されても良い。これにより、複数の括り輪が形成されることにより安全性を確保しつつ捕獲効率を高める構成において、捕獲ワイヤの質量が増加することを抑えることができる。よって、動物捕獲用罠の作動速度を高めて捕獲効率を高めることができると共に、駆動装置の小型化を図ることができる。
【００２２】
また、本発明の動物捕獲用罠によれば、枝ワイヤの先端近傍が挿通されて括り輪を形成する一対のワイヤ孔が形成された括り金具を有し、括り金具は、一対のワイヤ孔の間において括り輪の外径側に突出するよう曲折されていても良い。これにより、括り輪が最小に縮められた際であっても、括り金具の外径側に突出するよう曲折された箇所に空間が確保され、括り輪による過度な締め付けが防止される。即ち、括り金具は、括り輪を形成するための金具であると共に締め付け防止金具としても機能する。
【００２３】
また、本発明の動物捕獲用罠によれば、駆動手段は、捕獲ワイヤを引き上げる動力源としての弾性体と、弾性体を蓄勢した状態で保持する係止手段と、を有し、検知手段は、獣類の脚部を検知して係止手段による弾性体の係止を解除しても良い。これにより、電力等の動力を利用することなく、弾性体の復元力を利用して捕獲ワイヤを引き上げることができる。
【００２４】
また、本発明の動物捕獲用罠によれば、複数の筒状体は、並列且つ列状に配設されて互いに連結固定されており、検知手段は、獣類に踏まれることにより係止手段を引っ張って弾性体の係止を解除する検知ワイヤであり、検知ワイヤは、列状に連結固定された複数の筒状体の筒内を径方向に貫通するよう筒状体に挿通されていても良い。これにより、電気的な検知センサ等を利用することなく、簡単な構成で、何れかの筒状体に進入した獣類の脚部を検知して駆動手段の動力源としての弾性体を作動させることができる。
【図面の簡単な説明】
【００２５】
【図１】本発明の実施形態に係る動物捕獲用罠の概略を示す図である。
【図２】本発明の実施形態に係る動物捕獲用罠の（Ａ）捕獲ワイヤ、（Ｂ）捕獲ワイヤの他の例、を示す平面図である。
【図３】本発明の実施形態に係る動物捕獲用罠の（Ａ）括り金具の透視図、（Ｂ）括り輪が開いた状態を示す捕獲ワイヤの平面図、（Ｃ）括り輪が縮小された状態を示す捕獲ワイヤの平面図、である。
【図４】本発明の実施形態に係る動物捕獲用罠の（Ａ）筒状体ユニット、（Ｂ）筒状体、の斜視図である。
【図５】本発明の実施形態に係る動物捕獲用罠の捕獲ワイヤの括り輪が筒状体にセットされた状態を示す（Ａ）平面図、（Ｂ）正面図、である。
【図６】本発明の実施形態に係る動物捕獲用罠の駆動装置の概略を示す正面図である。
【図７】本発明の実施形態に係る動物捕獲用罠の係止ピン近傍を示す正面図である。
【図８】本発明の実施形態に係る動物捕獲用罠の（Ａ）セットされた状態、（Ｂ）作動した状態、を示す正面図である。
【発明を実施するための形態】
【００２６】
以下、本発明の実施形態に係る動物捕獲用罠を図面に基づき詳細に説明する。
図１は、本発明の実施形態に係る動物捕獲用罠１の概略を示す図である。動物捕獲用罠１は、猪や鹿等の獣類を捕獲するために用いられる括り罠である。図１に示すように、動物捕獲用罠１は、複数の括り輪１１が形成された捕獲ワイヤ１０と、括り輪１１がそれぞれ巻き掛けられる複数の筒状体２５と、捕獲ワイヤ１０を引き上げて括り輪１１を縮径させる駆動手段としての駆動装置３０と、を有する。
【００２７】
捕獲ワイヤ１０は、獣類を捕獲して束縛するためのワイヤやロープ等である。本実施形態では、捕獲ワイヤ１０として、例えば、直径約４ｍｍの鋼製のワイヤが用いられている。捕獲ワイヤ１０には、獣類の脚部を緊縛するための複数の括り輪１１が形成されている。なお、図１においては、捕獲ワイヤ１０は、駆動装置３０に接続された固定端側ワイヤ１２と、括り輪１１が形成された先端側ワイヤ１３と、に分離された状態を示しているが、使用時には、固定端側ワイヤ１２と先端側ワイヤ１３が連結される。
【００２８】
詳しくは、固定端側ワイヤ１２は、駆動装置３０の動力源としてのばね４０に設けられた略環状のワイヤ支持金具４４に挿通されており、固定端側ワイヤ１２の一端は、駆動装置３０の基台３１に設けられたワイヤ固定部３４に接続されている。そして、固定端側ワイヤ１２の自由端となっている他端に、猿環やスナップフック等の継手２２を介して先端側ワイヤ１３が接続される。これにより、一端がワイヤ固定部３４に接続されて他端側に複数の括り輪１１が形成された捕獲ワイヤ１０が構成される。
【００２９】
筒状体２５は、括り輪１１を巻き掛けるための部材であり、略円筒状の形態をなし、例えば、ポリ塩化ビニル樹脂等から形成されている。筒状体２５は、括り輪１１の数に合せて複数設けられている。複数の筒状体２５は、それぞれの軸を略平行にして開口が上下方向を向くよう略並列に配置され、且つ直線状または曲線状に並ぶよう略列状に配設されて用いられるものである。略列状に配設された複数の筒状体２５は、互いに連結され固定されている。これにより、複数の筒状体２５からなる筒状体ユニット２４が構成されている。
【００３０】
なお、図１に示す動物捕獲用罠１では、５個の括り輪１１が形成された捕獲ワイヤ１０の先端側ワイヤ１３が３本用いられ、５個の筒状体２５が略列状に連結された筒状体ユニット２４が３列設けられる例を示しているが、括り輪１１及び筒状体２５の数や配列は、これに限定されるものではない。
【００３１】
駆動装置３０は、ばね４０の反発力により捕獲ワイヤ１０を引き上げて複数の括り輪１１を一括して筒状体２５から外す装置である。駆動装置３０によって捕獲ワイヤ１０が引き上げられることにより、獣類の脚部が進入している括り輪１１のみを縮径させることができる。
【００３２】
図２（Ａ）は、捕獲ワイヤ１０の先端側ワイヤ１３を示す平面図であり、図２（Ｂ）は、捕獲ワイヤ１０の先端側ワイヤ１３の他の例を示す平面図である。図２（Ａ）に示すように、捕獲ワイヤ１０の先端側ワイヤ１３には、略同一長さの複数の枝ワイヤ１４が所定の間隔を設けて順次接続されている。そして、複数の枝ワイヤ１４によってそれぞれ括り輪１１が形成されている。これにより、１本の捕獲ワイヤ１０の先端側に複数の括り輪１１が略列状に並ぶことになる。
なお、各枝ワイヤ１４は、接続金具１５によって先端側ワイヤ１３の主ワイヤに接続され固定されている。接続金具１５は、加締め式やねじ止め式のワイヤ継手等である。
【００３３】
また、図２（Ｂ）に示すように、捕獲ワイヤ１０の先端側ワイヤ１３は、長さを変えた複数の枝ワイヤ１４が一カ所で連結されることにより構成されても良い。このように先端近傍に括り輪１１が形成された長さの異なる複数の枝ワイヤ１４を組み合わせることにより、括り輪１１を略列状に配置することができる。なお、括り輪１１の配列は、略直線状に限定されるものではなく、括り輪１１は、略円弧状等に並べられても良い。
【００３４】
このように１本の捕獲ワイヤ１０に複数の括り輪１１が形成されることにより、括り輪１１による総捕獲面積を増やすことができるので、捕獲効率を向上させることができる。また、総捕獲面積を大きくするために括り輪１１の内径を大きくする必要がないので、捕獲対象外の獣類が捕獲されてしまうことや、括り輪１１に人が足を踏み入れて動物捕獲用罠が作動してしまう等の危険も回避できる。
【００３５】
また、捕獲ワイヤ１０に複数の枝ワイヤ１４が接続され、それぞれの枝ワイヤ１４によって括り輪１１が形成されることにより、総捕獲面積を増大させる構成において、捕獲ワイヤ１０の質量が増加することを抑えることができる。よって、動物捕獲用罠１の作動速度を高めて捕獲効率を高めることができると共に、駆動装置３０（図６参照）の小型化を図ることができる。
【００３６】
図３（Ａ）は、括り金具２０を示す透視図である。図３（Ｂ）は、開いた状態の括り輪１１を示す平面図であり、図３（Ｃ）は、縮小された状態の括り輪１１を示す平面図である。図３（Ａ）ないし（Ｃ）に示すように、捕獲ワイヤ１０の枝ワイヤ１４の先端近傍には、括り輪１１を形成するための括り金具２０が取り付けられている。
【００３７】
図３（Ａ）に示すように、括り金具２０は、鋼鈑等を曲折することにより形成されており、断面略ハット状の形態をなす。即ち、括り金具２０は、中央部が凸状に曲折されており、その両端に略平板状のフランジ部が連続している。括り金具２０の両端のフランジ部には、捕獲ワイヤ１０（図３（Ｂ）参照）の枝ワイヤ１４（図３（Ｂ）参照）が移動自在に挿通される一対のワイヤ孔２１ａ、２１ｂが形成されている。
【００３８】
図３（Ｂ）に示すように、捕獲ワイヤ１０の枝ワイヤ１４の先端近傍は、括り金具２０の一方のワイヤ孔２１ａに挿通され、略環状に曲げられて、括り金具２０の他方のワイヤ孔２１ｂに挿通されている。これにより、括り輪１１が形成されている。
【００３９】
枝ワイヤ１４の括り金具２０よりも固定端側には、ワイヤ孔２１ａを通過不可能な大きさの止め金具１６が加締めやねじ止め等によって取り付けられている。これにより、括り輪１１の大きさが過大になることが抑えられる。具体的には、括り輪１１の内径は、鳥獣法の規定に適合するよう、１２ｃｍ以下に形成されている。
【００４０】
また、括り金具２０に挿通された枝ワイヤ１４の先端部近傍には、ワイヤ孔２１ｂを通過不可能な大きさの止め金具１７が加締めやねじ止め等によって取り付けられている。これにより、枝ワイヤ１４から括り金具２０が外れてしまうことが防止され、括り輪１１が維持される。
【００４１】
上記のように形成された括り輪１１の中に獣類が足を踏み入れ、駆動装置３０（図１参照）によって捕獲ワイヤ１０が引き上げられると、図３（Ｃ）に示すように、枝ワイヤ１４の固定端側が引かれて括り輪１１が縮小する。そして、括り輪１１によって獣類の脚部が緊縛され、獣類が捕獲される。
【００４２】
なお、枝ワイヤ１４は適度な剛性を有し、枝ワイヤ１４には略直線的な状態に戻ろうとする復元力が作用している。そのため、枝ワイヤ１４によって形成された括り輪１１は、枝ワイヤ１４の復元力によって拡径する方向に力が作用し、通常、図３（Ｂ）に示す如く開いた状態にある。よって、駆動装置３０で捕獲ワイヤ１０が引かれても、獣類の脚部が進入した括り輪１１のみが縮径され、獣類の脚部が進入していない他の括り輪１１は縮径されずに開いた状態に維持される。
【００４３】
また、断面略ハット状に形成された括り金具２０は、一対のワイヤ孔２１ａ、２１ｂの間において凸状に曲折された箇所が、括り輪１１の外径側に突出するよう取り付けられている。これにより、図３（Ｃ）に示す如く括り輪１１が小さくなり、更に縮小されて最小に縮められた際であっても、括り輪１１の外径側に突出するよう曲折された括り金具２０の凸状の箇所に空間が確保され、括り輪１１による過度な締め付けが防止される。即ち、括り金具２０は、括り輪１１を形成するための金具であると共に締め付け防止金具としても機能する。
【００４４】
図４（Ａ）は、動物捕獲用罠１の筒状体ユニット２４の斜視図であり、図４（Ｂ）は、筒状体２５の斜視図である。図４（Ａ）に示すように、略列状に並べられた複数の筒状体２５は、連結具２７によって連結され固定されている。これにより、筒状体２５の取り扱いが容易になると共に後述する検知ワイヤ５５による係止ピン５０（図７参照）の作動が良好になる。
【００４５】
図４（Ｂ）に示すように、筒状体２５には、対向する円筒部に一対のワイヤ孔２６が形成されている。そして、図４（Ａ）及び（Ｂ）に示すように、ワイヤ孔２６には、検知ワイヤ５５が挿通されている。即ち、検知ワイヤ５５は、列状に連結固定された複数の筒状体２５の筒内を径方向に貫通するよう筒状体２５に挿通されている。
【００４６】
検知ワイヤ５５は、括り輪１１（図２参照）に進入した獣類の脚部を検知して駆動装置３０（図６参照）を作動させる検知手段であり、獣類に踏まれることにより係止ピン５０を引っ張って、係止ピン５０によるばね４０（図６参照）の係止を解除する。なお、検知ワイヤ５５は、略管状のワイヤ管５６の中に、摺動自在に挿通されている。
【００４７】
このように検知手段として検知ワイヤ５５が用いられることにより、電気的な検知センサ等を利用することなく、簡単な構成で、何れかの筒状体２５に進入した獣類の脚部を検知して駆動装置３０のばね４０を作動させることができる。
【００４８】
なお、筒状体２５の筒内を貫通する検知ワイヤ５５の上方には、獣類に踏まれて検知ワイヤ５５を押圧する図示しない踏板等が設けられても良い。踏板等は、板状、棒状または線状等の各種の形態で良く、検知ワイヤ５５に取り付けられても良いし、検知ワイヤ５５の上部に当接するよう置かれても良いし、上下方向に移動自在に筒状体２５に取り付けられても良い。このような踏板等が設けられることにより検知ワイヤ５５による検知精度を向上させることができる。
【００４９】
図５（Ａ）及び（Ｂ）は、捕獲ワイヤ１０の括り輪１１が筒状体２５にセットされた状態を示す図であり、図５（Ａ）は、平面図であり、図５（Ｂ）は、正面図である。図５（Ａ）及び（Ｂ）に示すように、筒状体２５は、開口を上下方向に向けて、獣類の通り道等の土中に設置される。
【００５０】
捕獲ワイヤ１０の括り輪１１は、筒状体２５の上端部近傍の外周に巻き掛けられるようにセットされる。これにより、括り輪１１は、筒状体２５の外周面に略沿って、略円形状になる。なお、筒状体２５にセットされた状態において、捕獲ワイヤ１０は駆動装置３０（図６参照）に引かれていないので、括り輪１１によって筒状体２５が過度に締め付けられることはない。よって、獣類を検知した際には、複数の括り輪１１を一括して容易に筒状体２５から外すことができる。
【００５１】
図６は、駆動装置３０の概略を示す正面図である。図６に示すように、駆動装置３０は、設置面に設置される基台３１と、基台３１に固定された動力源としてのばね４０と、ばね４０を蓄勢された状態で保持する係止手段としての係止ピン５０と、を有している。
【００５２】
基台３１は、例えば、形鋼等から構成され、設置面に載置される基部３２と、基部３２から立設された支柱部３３と、を有する。支柱部３３には、ばね４０の一端側の支持部４１が、クランプ等の支持金具３９によって固定されている。なお、動物捕獲用罠１を使用する際には、基台３１は、固定ワイヤ６０によって、立木や地面に打ち込まれた杭等の固定物に固定される。
【００５３】
基台３１には、捕獲ワイヤ１０の固定端側ワイヤ１２が接続固定されるワイヤ固定部３４が設けられている。ワイヤ固定部３４は、例えば、基台３１に形成された穿孔やそこに接続されたスナップフック等の接続金具から構成されている。
【００５４】
基台３１の基部３２には、安全装置としてのロック金具３５が設けられている。ロック金具３５は、例えば、スナップフック等の接続金具であり、基部３２に形成された穿孔等に接続されている。
【００５５】
ばね４０は、動力源としての弾性体であり、例えば、略棒状のコイルばねである。ばね４０が設けられることにより、電力等の動力を利用することなく、ばね４０の復元力を利用して捕獲ワイヤ１０を引き上げることができる。
【００５６】
ばね４０の両端には、鋼管やアルミニウム管等からなる支持部４１及び支持部４２が取り付けられており、支持部４１、ばね４０及び支持部４２は、全体として略直線状に形成されている。そして、ばね４０は、一端側の支持部４１が基台３１の支柱部３３に固定されており、変位可能な自由端となる他端側の支持部４２を上に向けて略垂直に設けられている。
【００５７】
ばね４０の自由端側となる支持部４２には、捕獲ワイヤ１０が挿通されて捕獲ワイヤ１０を移動自在に支持する略環状のワイヤ支持金具４４が設けられている。ワイヤ支持金具４４は、例えば、クランプ等の接続金具によって支持部４２に固定されている。
【００５８】
ここで、ワイヤ支持金具４４は、支持部４２のばね４０近傍に設けられている。これにより、曲げられたばね４０の復元力を利用して捕獲ワイヤ１０を引き上げるための大きな張力を得ることができる。
【００５９】
また、ばね４０の支持部４２には、ワイヤ支持金具４４よりも上方である上端付近に、ロック金具接続部４５が設けれている。ロック金具接続部４５は、安全装置としてのロック金具３５に接続される略環状の接続部を有し、例えば、クランプ等の接続金具によって支持部４２に固定されている。
【００６０】
また、ばね４０の支持部４２の上端近傍には、係止ピン５０が係合する係合部４６が形成されている。係合部４６は、ばね４０が曲げられた状態において係止ピン５０に係合する形状であれば良く、例えば、係止ピン５０の先端が挿入されて係合する孔等である。
【００６１】
上記のように、ロック金具接続部４５及び係合部４６が支持部４２の上端近傍に設けられることにより、曲げられて蓄勢されたばね４０を比較的小さな力で保持することができる。
【００６２】
図７は、動物捕獲用罠１の係止ピン５０近傍を示す正面図である。図７に示すように、駆動装置３０の基台３１には、ばね４０を曲げられた状態で保持するための係止ピン５０が設けられている。
【００６３】
詳しくは、基台３１の基部３２には、係止ピン５０を摺動自在に支持する一対のピン支持部３７、３８と、検知ワイヤ５５及びワイヤ管５６を支持するワイヤ支持部３６が設けられている。ピン支持部３７、３８には、係止ピン５０を支持するための支持孔が形成されており、係止ピン５０は、ピン支持部３７、３８の支持孔に摺動自在に嵌合している。
【００６４】
一方のピン支持部３７と係止ピン５０との間には、係止ピン５０を係合する方向に付勢するばね５４が設けられている。ばね５４は、例えば、コイルばねであり、係止ピン５０が挿通されており、一端がピン支持部３７に当接し、他端が係止ピン５０に固定されたばね当て部５１に当接している。
【００６５】
ワイヤ支持部３６は、検知ワイヤ５５が挿通されたワイヤ管５６を支持する部材であり、基部３２から立設されている。ワイヤ支持部３６には、ワイヤ管５６が挿通される取付孔が形成されている。検知ワイヤ５５及びワイヤ管５６は、ワイヤ支持部３６の取付孔に挿通され、ワイヤ管５６は、その端部近傍がワイヤ支持部３６に固定され、検知ワイヤ５５は、係止ピン５０の係合する端部に対して反対側となる端部の近傍に接続されている。
【００６６】
上記のとおり係止ピン５０が構成されることにより、ばね５４に押された係止ピン５０が、ばね４０の支持部４２の係合部４６に係合して、ばね４０を蓄勢された状態に保持することができる。そして、筒状体２５（図４参照）の筒内に張られた検知ワイヤ５５が獣類に踏まれることにより、検知ワイヤ５５によって係止ピン５０が引かれ、係止ピン５０によるばね４０の係止が解除される。
【００６７】
なお、ばね４０側となるピン支持部３８の、ばね４０の支持部４２に当接する面は、支持部４２の外周に対して傾斜するよう形成されていても良い。これにより、ピン支持部３８と支持部４２との摩擦抵抗を減らして、係止ピン５０による係止が解除された際のばね４０の戻りを良好にすることができる。
【００６８】
次に、図１ないし図８を参照して、動物捕獲用罠１の使用方法及び動作について詳細に説明する。
動物捕獲用罠１を使用して猟を行う際には、先ず、獣類の歩行が予測される獣道等の土中に図４（Ａ）及び（Ｂ）に示す筒状体２５が配置される。そして、図５（Ａ）及び（Ｂ）に示すように、筒状体２５の外周上部に捕獲ワイヤ１０の括り輪１１が巻き掛けられる。
【００６９】
なお、この作業を行う際には、捕獲ワイヤ１０は、駆動装置３０（図６参照）に接続されていない。そのため、誤って捕獲ワイヤ１０が引き上げられる恐れはなく、狩猟者は、安全且つ容易に括り輪１１をセットすることができる。
【００７０】
次に、駆動装置３０のセットが行われる。図８（Ａ）は、動物捕獲用罠１のセットされた状態を示す正面図である。先ず、図８（Ａ）に示すように、駆動装置３０は、固定ワイヤ６０によって、立木や杭等の固定物に固定される。
【００７１】
そして、駆動装置３０のばね４０が曲げられ、支持部４２の係合部４６に係止ピン５０が挿入される。これにより、ばね４０は、蓄勢された状態で保持される。なお、ばね４０の上部に支持部４２が設けられているので、狩猟者は、ばね４０を容易に曲げることができる。
【００７２】
次いで、ばね４０が係止ピン５０に保持された状態において、基台３１に設けられた安全装置としてのロック金具３５と、ばね４０の支持部４２に設けられたロック金具接続部４５と、が接続される。これにより、仮に係止ピン５０による係合が外れてしまったとしても、ばね４０が伸びて支持部４２が跳ね上がることを防止することができる。これにより、作業の安全性が確保される。
【００７３】
次に、筒状体２５にセットされた捕獲ワイヤ１０の先端側ワイヤ１３と、駆動装置３０に接続されている固定端側ワイヤ１２と、が接続される。上記のとおり、作業中にばね４０が伸びて捕獲ワイヤが引き上げられることはないので、狩猟者は、安全に作業を行うことができる。
【００７４】
全ての捕獲ワイヤ１０の接続が完了したら、ロック金具３５がロック金具接続部４５から外されて安全装置が解除される。これにより、動物捕獲用罠１のセットが完了する。このようにセットされた動物捕獲用罠１は、複数の括り輪１１を有するので、従来技術のように括り輪が１つのみの括り罠と比べて、獣類が括り輪１１に足を踏み入れる確率が高い。具体的には、１５個の括り輪１１がセットされるとすれば、獣類が足を踏み入れる確率は、従来の括り輪と比べて１５倍になる。
【００７５】
そして、筒状体２５の中に獣類が足を踏み入れると、検知ワイヤ５５が獣類に踏まれ、その検知ワイヤ５５によって係止ピン５０が引かれて係合部４６から抜かれ、係止ピン５０によるばね４０の保持が解除される。
【００７６】
図８（Ｂ）は、動物捕獲用罠１の作動した状態を示す正面図である。図８（Ｂ）に示すように、係止ピン５０による係合が解除されると、ばね４０の支持部４２は、ばね４０の復元力によって上方に戻され、これにより、捕獲ワイヤ１０が上方に引き上げられる。
【００７７】
そして、筒状体２５に巻き掛けられていた括り輪１１が一括して外され、獣類の脚部Ｘが進入した括り輪１１のみが図３（Ｂ）に示す如く縮径され、獣類の脚部Ｘが締め付けられる。これにより、獣類を捕獲することができる。
【００７８】
動物捕獲用罠１では、１つの駆動装置３０のばね４０によって複数の括り輪１１がまとめて引き上げられるので、獣類を捕獲するために駆動装置３０が一旦作動した後は、動物捕獲用罠１は括り輪１１がセットされた状態で未作動のまま残されることがない。そのため、未作動の括り輪１１によって複数の獣類が捕獲されてしまう恐れがなく、また、捕獲された獣類を捕らえる際の狩猟者の安全も確保される。
【００７９】
また、１つの駆動装置３０のばね４０によって複数の括り輪１１をまとめて引き上げる構成により、駆動装置３０及びばね４０を複数設ける必要がなく、駆動装置３０及びばね４０の数を減らすことができる。これにより、動物捕獲用罠１を構成する部品の数が少なくなり、動物捕獲用罠１の生産性が高められるという効果も期待できる。
【００８０】
以上、本発明の実施形態に係る動物捕獲用罠１について説明したが、本発明は、これに限定されるものではない。
例えば、捕獲ワイヤ１０を引き上げるための駆動手段の動力源としては、引張ばね、圧縮ばね、キックばね、板バネ、合成ゴム等の弾性体、圧縮空気、電動モータ、その他各種の動力源を採用することもできる。
【００８１】
また、獣類の進入を検知するための検知手段としては、検知ワイヤ５５に代えて、赤外線センサ等の各種のセンサや撮像装置、各種スイッチ等が利用されても良い。
また、獣類が括り輪１１に進入したことまたは捕獲されたことを報知するための表示器や警報器、通信装置等が設けられても良い。
【００８２】
また、係止手段は、係止ピン５０に限られず、弾性体を蓄勢した状態で解除可能に保持できるものであれば良く、例えば、鉤状、棒状、板状等各種形状の係止具やワイヤ等でも良い。また、係止手段は、回動または揺動して保持状態から解除状態に切り替えられる機構等を備えても良い。
また、係止手段を解除する方法は、例えば、電磁アクチュエータ等を利用して係止手段を移動させる方法であっても良い。
その他、本発明の要旨を逸脱しない範囲で、種々の変更実施が可能である。
【符号の説明】
【００８３】
１      動物捕獲用罠
１０    捕獲ワイヤ
１１    括り輪
１２    固定端側ワイヤ
１３    先端側ワイヤ
１４    枝ワイヤ
２０    括り金具
２１ａ、２１ｂ  ワイヤ孔
２５    筒状体
３０    駆動装置
４０    ばね
５０    係止ピン
５５    検知ワイヤ
【図１】
2019010084.tif 000003
【図２】
2019010084.tif 000004
【図３】
2019010084.tif 000005
【図４】
2019010084.tif 000006
【図５】
2019010084.tif 000007
【図６】
2019010084.tif 000008
【図７】
2019010084.tif 000009
【図８】
2019010084.tif 000010
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
獣類の脚部を緊縛する複数の括り輪が形成された捕獲ワイヤと、
前記括り輪がそれぞれ巻き掛けられる複数の筒状体と、
前記捕獲ワイヤを引き上げて前記括り輪を縮径させる駆動手段と、
前記括り輪に進入した前記脚部を検知して前記駆動手段を作動させる検知手段と、を有し、
前記駆動手段は、複数の前記括り輪を前記筒状体から外して前記脚部が進入している前記括り輪を縮径させ、
前記捕獲ワイヤは、分岐した複数の枝ワイヤを有し、
前記枝ワイヤにそれぞれ前記括り輪が形成されていることを特徴とする動物捕獲用罠。
【請求項２】
前記枝ワイヤの先端近傍が挿通されて前記括り輪を形成する一対のワイヤ孔が形成された括り金具を有し、
前記括り金具は、一対の前記ワイヤ孔の間において前記括り輪の外径側に突出するよう曲折されていることを特徴とする請求項１に記載の動物捕獲用罠。
【請求項３】
前記駆動手段は、前記捕獲ワイヤを引き上げる動力源としての弾性体と、前記弾性体を蓄勢した状態で保持する係止手段と、を有し、
前記検知手段は、前記脚部を検知して前記係止手段による前記弾性体の係止を解除することを特徴とする請求項１または請求項２に記載の動物捕獲用罠。
【請求項４】
複数の前記筒状体は、並列且つ列状に配設されて互いに連結固定されており、
前記検知手段は、前記獣類に踏まれることにより前記係止手段を引っ張って前記弾性体の係止を解除する検知ワイヤであり、
前記検知ワイヤは、列状に連結固定された複数の前記筒状体の筒内を径方向に貫通するよう前記筒状体に挿通されていることを特徴とする請求項３に記載の動物捕獲用罠。
【手続補正２】
【補正対象書類名】明細書
【補正対象項目名】００１６
【補正方法】変更
【補正の内容】
【００１６】
本発明の動物捕獲用罠は、獣類の脚部を緊縛する複数の括り輪が形成された捕獲ワイヤと、前記括り輪がそれぞれ巻き掛けられる複数の筒状体と、前記捕獲ワイヤを引き上げて前記括り輪を縮径させる駆動手段と、前記括り輪に進入した前記脚部を検知して前記駆動手段を作動させる検知手段と、を有し、前記駆動手段は、複数の前記括り輪を前記筒状体から外して前記脚部が進入している前記括り輪を縮径させ、前記捕獲ワイヤは、分岐した複数の枝ワイヤを有し、前記枝ワイヤにそれぞれ前記括り輪が形成されていることを特徴とする。